(57)【要約】【課題】  減圧弁、逃し弁、電磁弁、混合弁、切換弁、止水弁、逆流防止弁、排水弁等、外部環境に対するシール部を有する弁の漏水の原因を簡便に検知する手段を提供する。【解決手段】  外部環境に対するシール部を有する弁の一次圧又は二次圧が所定値を超えたことを検知する検知手段と、前記一次圧又は二次圧が所定値を超えたことを外部環境に表示する表示手段と、前記一次圧又は二次圧が所定値以下に戻っても前記表示を維持する表示維持手段とを備える。【選択図】  図２
2011081759.tif 000002
【特許請求の範囲】
【請求項１】
外部環境に対するシール部を有する弁の一次圧又は二次圧が所定値を超えたことを検知する検知手段と、前記一次圧又は二次圧が所定値を超えたことを外部環境に表示する表示手段と、前記一次圧又は二次圧が所定値以下に戻っても前記表示を維持する表示維持手段とを備えることを特徴とする異常圧検知表示装置。
【請求項２】
流体通路囲壁を長手方向に移動可能に貫通すると共に流体通路内方向と流体通路外方向への抜け止めが施された軸部材と、流体通路囲壁の軸部材貫通部をシールするシール部材と、軸部材を流体通路内方向へ付勢するバネと、流体通路内の流体圧を受けた軸部材が付勢バネの付勢力に抗して流体通路外方向へ移動した時に流体通路囲壁と軸部材とに係合して軸部材の流体通路内方向への戻りを禁止する戻り禁止部材とを備えることを特徴とする請求項１に記載の異常圧検知表示装置。
【請求項３】
軸部材が流体通路内の流体圧を受けバネの付勢力に抗して流体通路外方向へ移動することによって流体通路囲壁の外側へ露出した軸部材の部位が、着色されていることを特徴とする請求項２に記載の異常圧検知表示装置。
【請求項４】
流体通路囲壁を長手方向に移動可能に貫通すると共に流体通路内方向と流体通路外方向への抜け止めが施された軸部材と、流体通路囲壁の軸部材貫通部をシールするシール部材と、軸部材を流体通路内方向へ付勢するバネと、軸部材の流体通路外方向側端部に対峙して流体通路囲壁外面に係止された異常圧表示部材とを備え、流体通路内の流体圧を受けた軸部材が付勢バネの付勢力に抗して流体通路外方向へ移動した時に、軸部材の流体通路外方向側端部から付勢力を受けて異常圧表示部材が塑性変形し、或いは破損し、或いは脱落することを特徴とする請求項１に記載の異常圧検知表示装置。
【請求項５】
異常圧表示部材は軸部材の流体通路外方向側端部を覆って流体通路囲壁外面に係止された蓋部材であり、流体通路内の流体圧を受けた軸部材が付勢バネの付勢力に抗して流体通路外方向へ移動した時に、軸部材の流体通路外方向側端部から付勢力を受けて蓋部材が破損することを特徴とする請求項４に記載の異常圧検知表示装置。
【請求項６】
蓋部材の、軸部材の流体通路外方向側端部に対峙する部位に、前記端部を取り巻く環状の脆弱部が形成されていることを特徴とする請求項５に記載の異常圧検知表示装置。
【請求項７】
弁の一次側通路に取り付けられていることを特徴とする請求項１乃至６の何れか１項に記載の異常圧検知表示装置。
【請求項８】
弁の二次側通路に取り付けられていることを特徴とする請求項１乃至６の何れか１項に記載の異常圧検知表示装置。
【発明の詳細な説明】
【技術分野】
【０００１】
本発明は、異常圧検知表示装置に関するものである。
【背景技術】
【０００２】
一次側通路と、二次側通路と、一次側通路と二次側通路との境界部の流路面積を可変調整する弁体と、弁体に連結されて二次側通路内の流体圧を受圧するダイヤフラムとを有する減圧弁が、特許文献１等に開示されると共に従来から使用されている。
減圧弁の従来例を図１に示す。
減圧弁αは、減圧弁カセット１００と減圧弁ボディ２００とを備えている。
減圧弁カセット１００は、シリンダ１０１と、シリンダ１０１内で往復摺動するピストンヘッド１０２と、ピスンヘッド１０２の一方の端面から延びてシリンダ１０１の一端からシリンダ１０１外へ突出する第１ピストンロッド１０３と、シリンダ１０１の前記一端に形成され第１ピストンロッド１０３が挿通された筒状の弁座１０４と、第１ピストンロッド１０３のシリンダ１０１外へ突出した一端に固定されて弁座１０４と対峙する弁体１０５と、シリンダ１０１周壁の第１ピストンロッド１０３に対峙する部位の外面に形成された周溝１０１ａの底部に形成された複数の弁流入口１０６と、ピストンヘッド１０２の他方の端面から延びてシリンダ１０１の他端からシリンダ１０１外へ突出する第２ピストンロッド１０７と、第２ピストンロッド１０７のシリンダ１０１他端から突出した一端に中心部が固定されたダイヤフラム１０８と、ダイヤフラム１０８に対峙しダイヤフラム１０８とシリンダ１０１とピストンヘッド１０２と協働して感圧室１０９を形成するダイヤフラムケース１１０と、シリンダ１０１の周壁に形成され、シリンダ１０１の前記一端から他端まで延在して感圧室１０９に減圧弁αの二次圧を導く複数の導圧穴１１１と、ダイヤフラム１０８を感圧室１０９側へ押圧するバネ１１２、１１３と、バネ１１２、１１３を収容すると共にダイヤフラムケース１１０と協働してダイヤフラム１０８の周縁部を挟持するバネケース１１４と、ピストンヘッド１０２の周溝に収容されてピストンヘッド１０２とシリンダ１０１内周面との摺接部をシールするＯリング１１５と、プレス加工された金属板製のダイヤフラムケース１１０と切削加工された金属製のシリンダ１０１とのかしめ結合部をシールするＯリング１１６と、ダイヤフラムケース１１０とプレス加工された金属板製のバネケース１１４とのかしめ結合部をシールするＯリング１１７と、シリンダ１０１の外周面に形成された周溝に収容されたＯリング１１８、１１９とを有している。
【０００３】
減圧弁ボディ２００は鋳物により形成されている。減圧弁ボディ２００は、減圧弁カセット１００のシリンダ１０１が挿入固定される筒部２０１と、弁流入口１０６に対峙して筒部２０１に形成された一次側開口２０２と、一次側開口２０２に連通する入口筒部２０３と、弁体１０５に対峙して筒部２０１に形成された二次側開口２０４と、二次側開口２０４に連通する出口筒部２０５とを有している。一次側開口２０２はシリンダ１０１の中心軸線χに正対している。筒部２０１の弁流入口１０６に対峙する部位の内周面に周溝２０１ａが形成されており、一次側開口２０２は周溝２０１ａの底部に形成されている。周溝２０１ａは周溝１０１ａと協働して、弁流入口１０６の外側に環状通路２０６を形成している。
弁座１０４と弁体１０５との間の環状隙間よりも上流側の筒部２０１と入口筒部２０３とが一次側通路を形成し、弁座１０４と弁体１０５との間の環状隙間よりも下流側の筒部２０１と出口筒部２０５とが二次側通路を形成している。
【０００４】
減圧弁カセット１００のシリンダ１０１が減圧弁ボディ２００の筒部２０１に挿入固定され、シリンダ１０１と筒部２０１との当接部がＯリング１１８、１１９によりシールされ、減圧弁カセット１００と減圧弁ボディ２００とが一体に組付けられて、減圧弁αが構成されている。
減圧弁αの入口筒部２０３は図示しない接続配管を介して図示しない水道配管に接続されている。
減圧弁αの出口筒部２０５は図示しない接続配管を介して図示しない水関連機器に接続している。
【０００５】
減圧弁αの下流に配設された水回り機器の止水栓が開放されると、図示しない水道配管から供給された水道水が、入口筒部２０３と入口筒部２０３に連通する一次側開口２０２とを通り、周溝２０１ａと周溝１０１ａとにより形成された環状通路２０６へ流入し、環状通路２０６から弁流入口１０６を通ってシリンダ１０１内へ流入し、シリンダ１０１内を弁座１０４へ向けて流れ、弁座１０４と弁体１０５との間の環状隙間を通ってシリンダ１０１から流出し、二次側開口２０３と出口筒部２０５と通って減圧弁αから流出する。減圧弁αから流出した水道水は、図示しない接続配管を介して図示しない水関連機器に供給される。
水道水が弁座１０４と弁体１０５との間の環状隙間を通る際に、圧力損失が発生し、水道水は減圧される。
【０００６】
前記環状隙間よりも下流側の水道水が導圧穴１１１を介して感圧室１０９に流入することにより、前記環状隙間よりも下流側の二次側通路内の水道水圧である減圧弁αの二次圧がダイヤフラム１０８に印加される。前記環状隙間よりも上流側の一次側通路内の水道水圧である減圧弁αの一次圧はピストンヘッド１０２の周溝に収容されたＯリング１１５がピストンヘッド１０２とシリンダ１０１の摺接部をシールすることにより、感圧室１０９には伝達されず、ダイヤフラム１０８には印加されない。
何らかの原因で減圧弁αの二次圧が上昇するとバネ１１２、１１３の付勢力に抗してダイヤフラム１０８が弁座１０４から遠ざかる方向へ変位し、ダイヤフラム１０８に固定された第２ピストンロッド１０７が、ひいてはピストンヘッド１０２、第１ピストンロッド１０３がダイヤフラム１０８に追随してダイヤフラム１０８側へ移動し、弁体１０５が弁座１０４に接近する。この結果、弁座１０４と弁体１０５との間の環状隙間が狭まり、前記環状隙間を水道水が通過する際の圧力損失が増加して減圧弁αの二次圧が下降する。従って、減圧弁αの二次圧は所定値以下に維持される。
減圧弁αの下流に配設された水関連機器の止水栓が閉鎖されると、減圧弁αを通過する水流が無くなり、一次圧と同圧まで上昇した二次圧を受圧したダイヤフラム１０８が弁座１０４から更に遠ざかる方向へ変位し、弁体１０５が弁座１０４に当接して弁座１０４と弁体１０５との間の環状隙間を閉じる。この結果減圧弁αは閉弁する。
ピスンヘッド１０２の受圧面積は弁体１０５の受圧面積よりも大きく設定されているので、減圧弁αの閉弁中に一次圧が上昇しても、減圧弁αは開弁しない。減圧弁αの閉弁中に、減圧弁αの下流に配設された水回り機器の止水栓が開放されると、二次側通路内の水道水が水回り機器側へ流出して二次圧が低下し、ダイヤフラム１０８が弁座１０４に接近する方向へ変位して、弁体１０５が弁座１０４から離れ、減圧弁αは開弁する。
【先行技術文献】
【特許文献】
【０００７】
【特許文献１】特開２００６−０４８５４９号
【発明の概要】
【発明が解決しようとする課題】
【０００８】
集合住宅においては、当該集合住宅に付属した給水ポンプを介して各住宅に水道水が供給される。ポンプの作動不良や集合住宅に属する他の住宅の水回り機器の止水栓の閉弁時に発生した水撃等により、減圧弁αの一次圧が異常に上昇し、それに伴い作動中の減圧弁αの二次圧も異常に上昇して、ダイヤフラムケース１１０とシリンダ１０１とのかしめ結合部や、ダイヤフラムケース１１０とバネケース１１４とのかしめ結合部や、減圧弁カセット１００と減圧弁ボディ２００との係合部等の、減圧弁αの外部環境に対するシール部から漏水する場合がある。他方、一次圧の異常上昇に起因せず、経時劣化や耐圧性能不足等の減圧弁αの不具合により、ダイヤフラムケース１１０とシリンダ１０１とのかしめ結合部や、ダイヤフラムケース１１０とバネケース１１４とのかしめ結合部や、減圧弁カセット１００と減圧弁ボディ２００との係合部等の、減圧弁αの外部環境に対するシール部から漏水する場合もある。従来、減圧弁αの漏水の原因を簡便に検知する手段が無かったので、減圧弁αから漏水した場合、原因究明に時間が掛かり、ひいては対策に時間が掛かっていた。
上記問題は減圧弁に限らず、逃し弁、電磁弁、混合弁、切換弁、止水弁、逆流防止弁、排水弁等、外部環境に対するシール部を有する一般的な弁全般に起こり得る。
本発明は上記問題に鑑みてなされたものであり、外部環境に対するシール部を有する弁の漏水の原因を簡便に検知する手段を提供することを目的とする。
【課題を解決するための手段】
【０００９】
上記課題を解決するために、本発明においては、外部環境に対するシール部を有する弁の一次圧又は二次圧が所定値を超えたことを検知する検知手段と、前記一次圧又は二次圧が所定値を超えたことを外部環境に表示する表示手段と、前記一次圧又は二次圧が所定値以下に戻っても前記表示を維持する表示維持手段とを備えることを特徴とする異常圧検知表示装置を提供する。
本発明に係る異常圧検知表示装置を使用すれば、弁の一次圧又は二次圧が異常に上昇した場合、当該異常上昇の証拠が残るので、弁の漏水を発見した時に、当該漏水の原因が一次圧又は二次圧の異常上昇なのか、或いは弁の不具合なのか、直ちに且つ簡便に検知できる。
【００１０】
本発明の好ましい態様においては、異常圧検知表示装置は、流体通路囲壁を長手方向に移動可能に貫通すると共に流体通路内方向と流体通路外方向への抜け止めが施された軸部材と、流体通路囲壁の軸部材貫通部をシールするシール部材と、軸部材を流体通路内方向へ付勢するバネと、流体通路内の流体圧を受けた軸部材が付勢バネの付勢力に抗して流体通路外方向へ移動した時に流体通路囲壁と軸部材とに係合して軸部材の流体通路内方向への戻りを禁止する戻り禁止部材とを備える。
上記構成を備えていれば、弁の一次圧又は二次圧が所定値を超えたことを検知でき、弁の一次圧又は二次圧が所定値を超えたことを外部環境に表示でき、弁の一次圧又は二次圧が所定値以下に戻っても前記表示を維持できる。
【００１１】
本発明の好ましい態様においては、軸部材が流体通路内の流体圧を受けバネの付勢力に抗して流体通路外方向へ移動することによって流体通路囲壁の外側へ露出した軸部材の部位が、着色されている。
着色部を視認できるか否かによって、一次圧又は二次圧が異常上昇したか否か容易に認識できる。
【００１２】
本発明の好ましい態様においては、流体通路囲壁を長手方向に移動可能に貫通すると共に流体通路内方向と流体通路外方向への抜け止めが施された軸部材と、流体通路囲壁の軸部材貫通部をシールするシール部材と、軸部材を流体通路内方向へ付勢するバネと、軸部材の流体通路外方向側端部に対峙して流体通路囲壁外面に係止された異常圧表示部材とを備え、流体通路内の流体圧を受けた軸部材が付勢バネの付勢力に抗して流体通路外方向へ移動した時に、軸部材の流体通路外方向側端部から付勢力を受けて異常圧表示部材が塑性変形し、或いは破損し、或いは脱落する。
上記構成を備えていれば、弁の一次圧又は二次圧が所定値を超えたことを検知でき、弁の一次圧又は二次圧が所定値を超えたことを外部環境に表示でき、弁の一次圧又は二次圧が所定値以下に戻っても前記表示を維持できる。
【００１３】
本発明の好ましい態様においては、異常圧表示部材は軸部材の流体通路外方向側端部を覆って流体通路囲壁外面に係止された蓋部材であり、流体通路内の流体圧を受けた軸部材が付勢バネの付勢力に抗して流体通路外方向へ移動した時に、軸部材の流体通路外方向側端部から付勢力を受けて蓋部材が破損する。
上記構成を備えていれば、弁の一次圧又は二次圧が所定値を超えたことを検知でき、弁の一次圧又は二次圧が所定値を超えたことを外部環境に表示でき、弁の一次圧又は二次圧が所定値以下に戻っても前記表示を維持できる。
本発明の好ましい態様においては、蓋部材の、軸部材の流体通路外方向側端部に対峙する部位に、前記端部を取り巻く環状の脆弱部が形成されている。
環状の脆弱部が蓋部材に形成されていれば、軸部材に押されて蓋部材が破損する際に、前記環状脆弱部に囲まれた部位が残余部から離脱する。従って、環状の脆弱部に囲まれた部位が残余部から離脱していれば、蓋部材の破損の原因が弁の一次圧又は二次圧が所定値を超えたことにあると確認できる。
【００１４】
本発明の好ましい態様においては、異常圧検知表示装置は、弁の一次側通路に取り付けられている。
本発明の好ましい態様においては、異常圧検知表示装置は、弁の二次側通路に取り付けられている。
異常圧検知表示装置が一体に組み付けられた弁は、漏水時の原因究明が容易で、使い勝手が良い。
弁の一次側通路に異常圧検知表示装置を取り付ければ、一次圧の異常上昇を検知表示でき、弁の二次側通路に異常圧検知表示装置を取り付ければ、二次圧の異常上昇を検知表示できる。
【図面の簡単な説明】
【００１５】
【図１】従来の減圧弁の構造図である。（ａ）は断面図であり、（ｂ）は側面図であり、（ｃ）は（ｂ）のｃ−ｃ矢視図である。
【図２】本発明の第１実施例に係る異常圧検知表示装置が取り付けられた減圧弁の部分断面図である。
【図３】本発明の第１実施例に係る異常圧検知表示装置の拡大断面図である。
【図４】本発明の第１実施例に係る異常圧検知表示装置が取り付けられた減圧弁の部分断面図である。
【図５】本発明の第１実施例の変形例に係る異常圧検知表示装置の断面図である。
【図６】本発明の第２実施例に係る異常圧検知表示装置の断面図である。
【発明を実施するための形態】
【００１６】
本発明の第１実施例に係る異常圧検知表示装置を説明する。
図２、３に示すように、図１の減圧弁αと同様の構造を有する減圧弁α’の入口筒部２０３’内に、流入水から塵埃を除去するための筒状の網であるストレーナ１０が配設され、ストレーナ１０が一体に取り付けられた蓋１１が、入口筒部２０３’の側壁に形成されたストレーナ取り出し穴２０３ａ’を閉鎖して、着脱可能に前記側壁に螺着固定され、入口筒部２０３’の側壁の一部を形成している。蓋１１の螺着部はＯリング１２によりシールされている。
蓋１１の中心部に形成されたボス１１ａに摺動可能に挿通された軸部材２０が、筒状のストレーナ１０内へ、ひいては入口筒部２０３’が形成する減圧弁α’の一次側通路内へ延びている。ボス１１ａと軸部材２０の摺接部は、Ｏリング２１によってシールされている。軸部材２０の一次側通路内に進入した一端に形成されたフランジ２２と、外部環境側の他端にネジ止めされたワッシャーヘッドネジ２３のワッシャー部２３ａとにより、軸部材２０は、一次側通路内方向と一次側通路外方向とに、抜け止めされている。一端が蓋１１に当接し、他端がフランジ２２に当接するバネ２４により、軸部材２０は一次側通路内方向へ付勢されている。軸部材２０の外部環境側他端の近傍に形成された周溝２０ａに、スナップリング２５が収容されている。軸部材２０の外部環境側他端からスナップリング２５を収容する周溝２０ａへ向けて所定の長手方向範囲に亙って、軸部材２０の外周面に着色樹脂製の環状部材２６が埋設固定されている。ボス１１ａの外部環境側端部から所定長手方向範囲に亙って、ボス部１１ａの内径が拡径されて、拡大内径部１１ｂが形成されている。
軸部材２０、Ｏリング２１、フランジ２２、ワッシャーヘッドネジ２３、バネ２４、スナップリング２５、拡大内径部１１ｂ、環状部材２６により、異常圧検知表示装置βが構成されている。
入口筒部２０３’のストレーナ１０よりも上流側の部位に、止水弁３０が取り付けられている。
入口筒部２０３’の上流端は、接続配管３００を介して図示しない集合住宅の各住宅に配設された水道配管に接続されている。
【００１７】
異常圧検知表示装置βの作動を説明する。
減圧弁α’の一次側通路内の水道水圧、即ち減圧弁α’の一次圧が減圧弁α’の仕様圧力範囲内にある時は、軸部材２０に印加される一次圧による付勢力よりも大きなバネ２４の付勢力を受けて、軸部材２０は、一次側通路内方向へ移動し、図２、３に示すように、ワッシャーヘッドネジ２３のワッシャー部２３ａがボス１１ａの外部環境側端部に当接している。この状態では、環状部材２６はボス１１ａ内に在り、ワッシャーヘッドネジ２３のワッシャー部２３ａにも覆われて、外部環境に露出していない。また、スナップリング２５は拡大内径部１１ｂよりも一次側通路内寄りに在る。
集合住宅に設置された給水ポンプの作動不良や集合住宅に属する他の住宅の水回り機器の止水栓の閉弁時に発生した水撃等により、減圧弁α’の一次圧が減圧弁α’の仕様圧力範囲を超えて上昇すると、軸部材２０に印加される一次圧による付勢力がバネ２４の付勢力を上回り、軸部材２０は、一次側通路外方向へ移動し、図４に示すように、ワッシャーヘッドネジ２３のワッシャー部２３ａがボス１１ａの外部環境側端部から離れ、環状部材２６がボス１１ａから突出して外部環境に露出する。環状部材２６がボス１１ａから突出して外部環境に露出することにより、一次圧が異常上昇したことが表示される。尚、Ｏリング２１はボス１１ａ内に維持されており、ボス１１ａから漏水するおそれはない。軸部材２０の移動に伴ってスナップリング２５が拡大内径部１１ｂに対峙する位置まで移動し、自身の弾性力により拡径する。この結果、スナップリング２５の内周縁部は周溝２０ａ内に在り、外周縁部は拡大内径部１１ｂ内に在ることになる。従って、減圧弁α’の一次圧が減圧弁α’の仕様圧力範囲内に戻っても、スナップリング２５の外周縁部が拡大内径部１１ｂの一次側通路内寄りの端部が形成する段部に係合し、スナップリング２５の内周縁部が周溝２０ａに係合することにより、軸部材２０の一次側通路方向への戻りが規制され、環状部材２６が外部環境に露出した状態が維持される。
上記説明から分かるように、異常圧検知表示装置βにおいては、軸部材２０とバネ２４とが形成する検知手段が一次圧の異常上昇を検知し、環状部材２６が形成する表示手段が前記異常上昇を外部環境に表示し、スナップリング２５と周溝２０ａと拡大内径部１１ｂとが形成する表示維持手段が、一次圧が正常値に戻った後も前記表示を維持する。
【００１８】
異常圧検知表示装置βを使用すれば、減圧弁α’の一次圧が異常上昇した場合、当該異常上昇の証拠が残るので、減圧弁α’の漏水を発見した時に、当該漏水の原因が一次圧の異常上昇なのか、或いは減圧弁α’の不具合なのか、直ちに且つ簡便に検知できる。この結果、減圧弁α’から漏水した場合、迅速に対策を講ずることができる。
着色された環状部材２６を視認できるか否かによって、一次圧が異常上昇したか否か容易に認識できる。
異常圧検知表示装置βが一体に組み付けられた減圧弁α’は、漏水時の原因究明が容易で、使い勝手が良い。
一次側通路にストレーナ１０が取り付けられている減圧弁α’においては、ストレーナ取り出し穴２０３ａ’を閉鎖する蓋１１を異常圧検知表示装置βの軸部材２０が貫通していれば、蓋１１を外してストレーナ１０を保守する際に、異常圧検知表示装置βも保守できるので、異常圧検知表示装置βの使い勝手が向上する。
【００１９】
異常圧検知表示装置βを蓋１１以外の減圧弁α’の一次側通路側壁に取り付けても良い。
異常圧検知表示装置βを、減圧弁α’の一次側通路に代えて、減圧弁α’よりも上流側に配設される流体通路に取り付けても良い。異常圧検知表示装置βを減圧弁α’とは体別とすることにより、従来の減圧弁をそのまま使用して、且つ減圧弁から漏水した時に原因を簡便に究明することが可能になる。
異常圧検知表示装置βを減圧弁α’の二次側通路側壁に取り付けても良い。バネ２４の付勢力を調整すれば、減圧弁α’の減圧不良、即ち減圧不足による二次圧の異常上昇を検知表示することもできる。
着色樹脂製の環状部材２６を省略しても良い。軸部材２０の端部がボス１１ａから外部環境側へ突出しているか否かによって、減圧弁の漏水の原因が一次圧の異常上昇であったか否か判断できる。
上記実施例では、軸部材２０とバネ２４とが検知手段を形成し、環状部材２６が表示手段を形成し、スナップリング２５と周溝２０ａと拡大内径部１１ｂとが表示維持手段を形成したが、各手段の構成要素は上記のものに限定されない。例えば、図５に示すように、ボス１１ａの内周面に長手方向に隣接する二つの球面状凹部１１ｃ、１１ｄを形成し、一次側通路内寄りの球面状凹部１１ｃに弾性体から成るボール部材２７を弾性嵌合させても良い。減圧弁α’の一次圧が減圧弁α’の仕様圧力範囲内にある時は、ボール部材２７が球面状凹部１１ｃに弾性嵌合した状態が維持されるが、減圧弁α’の一次圧が減圧弁α’の仕様圧力範囲を超えて上昇すると、ボール部材２７は球面状凹部１１ｃと球面状凹部１１ｄとの間の盛り上がり部を乗り越えて球面状凹部１１ｄへ移動して弾性嵌合し、ボール部材２７の一部がボス１１ａの端部から突出して外部環境に露出し、一次圧の異常上昇を外部環境に表示する。一次圧が減圧弁α’の仕様圧力範囲内に戻っても、球面状凹部１１ｄと球面状凹部１１ｃの間の盛り上がり部に邪魔されてボール部材２７は球面状凹部１１ｃに戻れず、球面状凹部１１ｄに弾性嵌合した状態に保持される。
【００２０】
本発明の第２実施例に係る異常圧検知表示装置を説明する。
図６（ａ）に示すように、図１の減圧弁αと同様の構造を有する減圧弁の入口筒部２０３”内に、流入水から塵埃を除去するための筒状の網であるストレーナ３０が配設され、ストレーナ３０が一体に取り付けられた蓋３１が、入口筒部２０３”の側壁に形成されたストレーナ取り出し穴２０３ａ”を閉鎖して、着脱可能に前記側壁に螺着固定され、入口筒部２０３”の側壁の一部を形成している。蓋３１の螺着部はＯリング３２によりシールされている。
蓋３１の中心部に形成されたボス３１ａに摺動可能に挿通された軸部材４０が、筒状のストレーナ３０内へ、ひいては入口筒部２０３”が形成する減圧弁の一次側通路内へ延びている。ボス３１ａと軸部材４０の摺接部は、Ｏリング４１によってシールされている。軸部材４０の一次側通路内に進入した一端に形成されたフランジ４２と、外部環境側の他端に螺着した座金付きナット４３の座金部４３ａとにより、軸部材４０は、一次側通路内方向と一次側通路外方向とに、抜け止めされている。一端が蓋３１に当接し、他端がフランジ４２に当接するバネ４４により、軸部材４０は一次側通路内方向へ付勢されている。軸部材４０の外部環境側他端を覆う浅い有底筒状の蓋部材４５が、蓋３１の外面に係止している。蓋部材４５の、軸部材４０の外部環境側他端に対峙する部位に、軸部材４０を取り巻く環状の脆弱部４５ａが形成されている。
軸部材４０、Ｏリング４１、フランジ４２、座金付きナット４３、バネ４４、蓋部材４５により、異常圧検知表示装置γが構成されている。
【００２１】
異常圧検知表示装置γの作動を説明する。
減圧弁の一次側通路内の水道水圧、即ち減圧弁の一次圧が減圧弁の仕様圧力範囲内にある時は、軸部材４０に印加される一次圧による付勢力よりも大きなバネ４４の付勢力を受けて、軸部材４０は、一次側通路内方向へ移動し、図６（ａ）に示すように、座金付きナット４３の座金部４３ａがボス３１ａの外部環境側端部に当接している。この状態では、軸部材４０の外部環境側他端は蓋部材４５に軽く当接し或いは両者の間に僅かな隙間がある。従って、蓋部材４５は、軸部材４０の外部環境側他端を覆っており、破損していない。
集合住宅に設置された給水ポンプの作動不良や集合住宅に属する他の住宅の水回り機器の止水栓の閉弁時に発生した水撃等により、減圧弁の一次圧が減圧弁の仕様圧力範囲を超えて上昇すると、軸部材４０に印加される一次圧による付勢力がバネ４４の付勢力を上回り、軸部材４０は、一次側通路外方向へ移動する。軸部材４０の外部環境側他端が蓋部材４５に当接して蓋部材４５を強く付勢する。図６（ｂ）示すように、脆弱部４５ａで囲まれた部位４５ａ’が蓋部材４５の残余部から離脱して、蓋部材４５が破損する。蓋部材４５が破損することにより、一次圧が異常上昇したことが表示される。減圧弁の一次圧が減圧弁の仕様圧力範囲内に戻ると、バネ４４の付勢力を受けた軸部材４０は一次側通路内方へ移動して、図６（ａ）の状態に戻る。しかし、蓋部材４５の破損状態は維持される。
上記説明から分かるように、異常圧検知表示装置γにおいては、軸部材４０とバネ４４とが形成する検知手段が一次圧の異常上昇を検知し、蓋部材４５の部位４５ａ’が形成する表示手段が前記異常上昇を外部環境に表示し、蓋部材４５の破損部が形成する表示維持手段が、一次圧が正常値に戻った後も前記表示を維持する。
環状の脆弱部４５ａが蓋部材４５に形成されているので、軸部材４０に押されて蓋部材４５が破損する際に、前記環状脆弱部４５ａに囲まれた部位４５ａ’が残余部から離脱する。従って、環状の脆弱部４５ａに囲まれた部位４５ａ’が残余部から離脱していれば、蓋部材４５の破損の原因が弁の一次圧又は二次圧が所定値を超えたことにあると確認できる。
【００２２】
蓋部材４５に代えて、軸部材４０の外部環境側他端に対峙させてラベル、フィルム、シール等を蓋３１の外面に貼り付けても良い。
一時側通路内の流体圧を受けた軸部材４０がバネ４４の付勢力に抗して一時側通路外方向へ移動した時に、軸部材４０の外部環境側他端から付勢力を受けてラベル、フィルム、シール等が塑性変形し、或いは破損し、或いは脱落して、一次圧が異常上昇したことが表示される。減圧弁の一次圧が減圧弁の仕様圧力範囲内に戻ると、バネ４４の付勢力を受けた軸部材４０は一次側通路内方へ移動する。しかし、ラベル、フィルム、シール等の塑性変形状態、或いは破損状態、或いは脱落状態は維持される。
【００２３】
異常圧検知表示装置β、γを、減圧弁以外の、逃し弁、電磁弁、混合弁、切換弁、止水弁、逆流防止弁、排水弁等、外部環境に対するシール部を有する種々の弁に取り付けるとにより、これらの弁が漏水した場合に、その原因を簡便に検知することが可能になる。
【産業上の利用可能性】
【００２４】
本発明に係る異常圧検知表示装置は、減圧弁、逃し弁、電磁弁、混合弁、切換弁、止水弁、逆流防止弁、排水弁等、外部環境に対するシール部を有する種々の弁に広く利用可能である。
【符号の説明】
【００２５】
α、α’  減圧弁
β、γ異常圧検知表示装置
１０  ストレーナ
１１  蓋
１１ａ  ボス
１１ｂ  拡大内径部
２０、４０  軸部材
２０ａ  周溝
２４、４４  バネ
２５  スナップリング
２６  環状部材
４５  蓋部材
４５ａ 脆弱部
１００  減圧弁カセット
１０１  シリンダ
１０２  ピストンヘッド
１０３  第１ピストンロッド
１０４  弁座
１０５  弁体
１０６  弁流入口
１０７  第２ピストンロッド
１０８  ダイヤフラム
１０９  感圧室
１１０  ダイヤフラムケース
２００  減圧弁ボディ
２０１  筒体
２０２  一次側開口
２０３  二次側開口
２０６  環状通路
２０３  入口筒部
２０５  出口筒部
２０３’、 ２０３”  入口筒部
【図１】
2011081759.tif 000003
【図２】
2011081759.tif 000004
【図３】
2011081759.tif 000005
【図４】
2011081759.tif 000006
【図５】
2011081759.tif 000007
【図６】
2011081759.tif 000008